(57)【要約】【課題】ＳＮＳのコミュニケーション機能を利用して、効果的に音楽の再生・検索を行う。【解決手段】情報提供サーバ１は、コミュニティ型のＷｅｂサイトの会員であるユーザＡが、利用者端末２を介して上記Ｗｅｂサイトに登録した、所定の音楽に対するお薦め情報を記憶する手段と、上記所定の音楽に対して登録されたコミュニケーション情報の配信先となるユーザＢを、Ｗｅｂサイトの会員の個人属性情報、ユーザＡ及びＢが所属するグループ情報、前記ユーザＡの選択など基づいて、上記Ｗｅｂサイトの会員の中から決定する手段と、ユーザＢの再生可能な音楽の属性情報一覧である音楽リストを作成するときには、上記所定の音楽の属性情報にユーザＡが登録したお薦め情報を追記して音楽リストを作成する手段と、予め定めた送信条件が成立した場合には、作成された音楽リストの一部または全部をユーザＢが音楽を再生する利用者端末２に送信する手段と、を有する。【選択図】図１
2010107883.tif 000002
【特許請求の範囲】
【請求項１】
コミュニティ型のＷｅｂサイトと連携して、通信ネットワークに接続された端末装置に音楽の属性情報を提供する情報提供サーバであって、
前記コミュニティ型のＷｅｂサイトの会員である第１のユーザが、前記端末装置を介して前記Ｗｅｂサイトに登録した、所定の音楽に対するコミュニケーション情報を記憶するコミュニケーション情報記憶手段と、
前記所定の音楽に対して登録されたコミュニケーション情報の配信先となる第２のユーザを、前記Ｗｅｂサイトの会員の個人属性情報、前記第１のユーザが所属するグループ情報、及び前記第１のユーザの選択のうち、少なくとも一以上に基づいて、前記Ｗｅｂサイトの会員の中から決定する配信先決定手段と、
前記第２のユーザの再生可能な音楽の属性情報一覧である音楽リストを作成するときには、前記所定の音楽の属性情報に前記第１のユーザが登録したコミュニケーション情報を追記して音楽リストを作成する音楽リスト作成手段と、
予め定めた送信条件が成立した場合には、前記音楽リスト作成手段により作成された音楽リストの一部または全部を前記第２のユーザが音楽を再生する端末装置に送信する音楽リスト送信手段と、
を有することを特徴とする情報提供サーバ。
【請求項２】
前記予め定めた送信条件の成立は、前記第２のユーザが端末装置において前記所定の音楽を再生する時であり、
前記送信される音楽リストは、前記所定の音楽の音楽属性情報であることを特徴とする請求項１記載の情報提供サーバ。
【請求項３】
前記第２のユーザが前記コミュニケーション情報を含む所定の検索条件で前記音楽リストを検索した場合には、前記音楽リストの中から検索条件に合致する音楽一覧を検索結果として作成する音楽リスト検索手段をさらに備え、
前記音楽リスト送信手段は、
前記音楽リスト検索手段により作成された検索結果を送信することを特徴とする請求項１又は２記載の情報提供サーバ。
【請求項４】
前記第２のユーザが再生指示した音楽コンテンツを前記利用者端末に送信する音楽コンテンツ送信手段をさらに備え、
前記音楽コンテンツ送信手段は、
前記検索結果に応じて順次、該当する音楽コンテンツを前記利用者端末に送信することを特徴とする請求項３記載の情報提供サーバ。
【請求項５】
前記予め定めた送信条件は、前記第２のユーザが設定可能であり、
前記音楽リスト送信手段は、前記第２のユーザの音楽リストの全部を前記第２のユーザが音楽を再生する端末装置に送信することを特徴とする請求項１記載の情報提供サーバ。
【請求項６】
前記コミュニケーション情報は、前記端末装置の位置情報を備えており、
前記配信先決定手段は、この位置情報を加味して配信先を決定することを特徴とする請求項１乃至５のいずれか１項に記載の情報提供サーバ。
【請求項７】
前記コミュニケーション情報記憶手段は、
前記第１のユーザに加えて、前記コミュニティ型のＷｅｂサイトの会員でない第３のユーザが前記所定の音楽に対して登録したコミュニケーション情報を記憶することを特徴とする請求項１乃至６のいずれか１項に記載の情報提供サーバ。
【発明の詳細な説明】
【技術分野】
【０００１】
本発明は、通信ネットワークを介して、端末装置に情報を提供する情報提供サーバに関し、特に、ソーシャルネットワーキングサービス（以下、ＳＮＳという）を利用して情報を提供する情報提供サーバに関する。
【背景技術】
【０００２】
現在、コミュニティ型のＷｅｂサイトとしてＳＮＳがよく利用されている。ＳＮＳでは、会員登録したユーザ同士のコミュニケーションを促進する手段や場を提供している（例えば、特許文献１、２参照）。例えば、当該ユーザが参加するコミュニティの他のメンバの登録情報（写真、日記、コメントなど）を閲覧することができたり、また、自分と関連する他のユーザが登録した情報についてコメントを追加することができたりして交流を図ることができるようになっている。
【０００３】
また、昨今、光ディスクやハードディスクなどの記録媒体が大容量となったことから、記録媒体に格納させた大量の音楽コンテンツを再生する音楽再生装置が提供されている。このような音楽再生装置では、ユーザ自身が大量の音楽コンテンツの中から自分の聞きたい音楽を選択し、再生を行っている。例えば、ジャンルやアーティスト名などのキーワードを検索して所望の音楽コンテンツを再生したり、過去の再生履歴から所望の音楽コンテンツを再生したりする方法がある（例えば、特許文献３参照）。
【０００４】
【特許文献１】特開２００３−２０２８０３号公報
【特許文献２】特開２００６−２３８７６号公報
【特許文献３】特開２００３−１７３３５０号公報
【発明の開示】
【発明が解決しようとする課題】
【０００５】
しかしながら、上述した方法とは別に、趣味嗜好が似た他人の提供情報を利用して、所望の音楽コンテンツを再生するのも一案として考えられる。例えば、上述したＳＮＳを利用すれば、趣味や嗜好の似た会員とコミュニケーションができるので、会員の推薦する音楽情報を基に音楽を再生することも可能である。
【０００６】
本発明は、上記の事情を鑑みてなされたものであり、その課題の一例としては、ＳＮＳのコミュニケーション機能を利用して、効果的に音楽の再生・検索を行うことができる情報提供サーバを提供することにある。
【課題を解決するための手段】
【０００７】
上記の課題を達成するため、請求項１記載の発明は、コミュニティ型のＷｅｂサイトと連携して、通信ネットワークに接続された端末装置に音楽の属性情報を提供する情報提供サーバであって、前記コミュニティ型のＷｅｂサイトの会員である第１のユーザが、前記端末装置を介して前記Ｗｅｂサイトに登録した、所定の音楽に対するコミュニケーション情報を記憶するコミュニケーション情報記憶手段と、前記所定の音楽に対して登録されたコミュニケーション情報の配信先となる第２のユーザを、前記Ｗｅｂサイトの会員の個人属性情報、前記第１のユーザが所属するグループ情報、及び前記第１のユーザの選択のうち、少なくとも一以上に基づいて、前記Ｗｅｂサイトの会員の中から決定する配信先決定手段と、前記第２のユーザの再生可能な音楽の属性情報一覧である音楽リストを作成するときには、前記所定の音楽の属性情報に前記第１のユーザが登録したコミュニケーション情報を追記して音楽リストを作成する音楽リスト作成手段と、予め定めた送信条件が成立した場合には、前記音楽リスト作成手段により作成された音楽リストの一部または全部を前記第２のユーザが音楽を再生する端末装置に送信する音楽リスト送信手段と、を有することを特徴とする。
【発明を実施するための最良の形態】
【０００８】
以下、本発明の実施の形態を図面を用いて説明する。
【０００９】
＜音楽情報提供システムの構成＞
図１は、本発明の実施の形態に係る音楽情報提供システム１０の概略構成図である。音楽情報提供システム１０は、ＳＮＳの会員であるユーザ（以下、ユーザと称するときはＳＮＳの会員を示す）の利用者端末２に音楽情報を提供する情報システムであり、概略、音楽情報を利用者端末２に配信する情報提供サーバ１、ユーザが音楽コンテンツを再生する利用者端末２、音楽の属性情報を情報提供サーバ１に提供する外部機関３、ユーザの個人属性情報やユーザが登録した音楽属性情報を情報提供サーバ１に提供するＳＮＳサーバ４、及び情報提供サーバ１及びＳＮＳサーバ４と利用者端末２を相互に通信可能とする、例えば、インターネット網などの通信ネットワーク５を備える構成である。
【００１０】
ここで、本実施の形態における音楽情報とは、音楽コンテンツ、及び音楽の属性情報（以下、音楽属性情報という）を含む情報を意味し、本実施の形態では、情報提供サーバ１が音楽コンテンツ及び音楽属性情報を一元的に管理しており、ユーザが利用者端末２で音楽コンテンツを再生する場合には、情報提供サーバ１から所望の音楽コンテンツをストリーミングして再生する形態を一例として挙げて説明する。勿論、後述するように、各利用者端末２が自装置内に音楽コンテンツを記憶し、自装置内に記憶された音楽コンテンツを再生する形態であってもよい。なお、本実施の形態においては、音楽属性情報をタグ情報とも称する。
【００１１】
情報提供サーバ１は、図１に示すように、一般タグ情報反映部１０１、ユーザタグ情報反映部１０２、音楽タグ情報データベース（以下、音楽タグ情報ＤＢという）１０３、ＳＮＳ属性情報反映部１０４、ＳＮＳ属性情報データベース（以下、ＳＮＳ属性情報ＤＢという）１０５、音楽リスト作成部１０６、音楽リストデータベース（以下、音楽リストＤＢという）１０７、通信部１０８、指示判断部１０９、画面作成部１１０、音楽検索部１１１、音楽取得部１１２、及び音楽データベース（以下、音楽ＤＢという）１１３を具備する構成である。
【００１２】
一般タグ情報反映部１０１は、外部機関３から提供される一般タグ情報３１を音楽タグ情報ＤＢ１０３に随時反映するようになっている。ここで、外部機関３とは、一つには、音楽の楽曲に関する属性情報（曲名、アーティスト名、制作年度など）を提供する機関（外部機関３Ａという）をいい、具体的には、音楽レコード会社やＣＤＤＢ（Compact Disc DataBase）などが想定される。また、もう一つには、私的な音楽お薦め情報を提供する企業（外部機関３Ｂという）であり、具体的には、ラジオ局などが想定される。すなわち、一般タグ情報３１には、外部機関３Ａが提供する一般タグ情報Ａと、外部機関３Ｂが提供する一般タグ情報Ｂと、が存在し、一般タグ情報反映部１０１は、一般タグ情報Ａ及び一般タグ情報Ｂを音楽タグ情報ＤＢ１０３に反映するようになっている。
【００１３】
ここで、一般タグ情報Ａは、図２に示すように、音楽コンテンツを一意に識別可能な音楽ＩＤ、曲名、アーティスト、アルバム、ジャンルなどの音楽属性情報を備えており、一般タグ情報Ｂは、音楽ＩＤ、タグ作成者情報、配信対象情報などの音楽属性情報を備えている。一般タグ情報Ｂにおけるタグ作成者情報は、タグ情報（音楽属性情報）を作成した者を一意に識別可能なタグ作成者ＩＤ及びタグ作成者名から構成され、具体的には、上述した音楽お薦め情報を提供する企業に関する情報となっている。また、配信対象情報は、音楽お薦め情報を配信する配信対象に関する情報であり、配信対象グループ、配信対象地域、タグ内容（お薦めの内容やレベルなどを示すお薦めに関する詳細情報）などから構成される。なお、外部機関３Ｂから提供されたこの音楽お薦め情報は、情報提供サーバ１の後述する仕組みを利用して、配信対象となる所望のユーザや所望の地域のユーザに配信されるようになっている。
【００１４】
ユーザタグ情報反映部１０２は、ＳＮＳシステムを管理するＳＮＳサーバ４から提供されるユーザタグ情報を音楽タグ情報ＤＢ１０３に随時反映するようになっている。ここで、ＳＮＳサーバ４は、ＳＮＳの会員であるユーザに関する種々の情報（以下、ＳＮＳ管理情報４１という）を一元的に管理しているので、ユーザタグ情報反映部１０２は、ＳＮＳサーバ４のＳＮＳ管理情報４１の中からユーザタグ情報を取得して、音楽タグ情報ＤＢ１０３に反映するようになっている。
【００１５】
ユーザタグ情報は、ユーザがＳＮＳのコミュニケーション機能を利用してＳＮＳサーバ４に登録したコミュニケーション情報の一つである。具体的には、ユーザタグ情報は音楽お薦め情報であり、そのデータ構成は、図２に示すように、一般タグ情報Ｂと同一である。すなわち、ユーザタグ情報は、音楽ＩＤ、タグ作成者情報、配信対象情報などの情報を備えている。タグ作成者情報は、タグ作成者ＩＤ及びタグ作成者名から構成され、具体的には、音楽お薦め情報を登録したユーザに関する情報である。また、配信対象情報は、音楽お薦め情報を配信する配信対象に関する情報であり、配信対象グループ、配信対象地域、タグ内容（お薦めの内容やレベルなどを示すお薦めに関する詳細情報）などから構成され、具体的には、ユーザ（タグ作成者）が配信したい相手や地域が記されている。なお、ＳＮＳの会員であるユーザが登録した音楽お薦め情報は、情報提供サーバ１の後述する仕組みを利用して、配信対象となる所望のユーザや所望の地域のユーザに配信されるようになっている。
【００１６】
音楽タグ情報ＤＢ１０３には、上述した一般タグ情報Ａ、一般タグ情報Ｂ、及びユーザタグ情報を記憶管理するデータベースである。
【００１７】
ＳＮＳ属性情報反映部１０４は、ＳＮＳサーバ４から提供されるＳＮＳ属性情報をＳＮＳ属性情報ＤＢ１０５に随時反映するようになっている。すなわち、ＳＮＳ属性情報反映部１０４は、ＳＮＳサーバ４のＳＮＳ管理情報４１の中からＳＮＳ属性情報を取得して、ＳＮＳ属性情報ＤＢ１０５に反映するようになっている。
【００１８】
ここで、ＳＮＳ属性情報は、図２に示すように、ユーザを一意に識別可能な利用者ＩＤ、ユーザの個人属性情報（利用者名、プロフィール、住所情報など）、ユーザがＳＮＳにおいて所属しているグループを示す所属グループ情報などのユーザの個人情報を備えている。
【００１９】
なお、本実施の形態においては、一般タグ情報Ｂにおけるタグ作成者ＩＤ、ユーザタグ情報におけるタグ作成者ＩＤ、及びＳＮＳ属性情報の利用者ＩＤは、同一のコード体系のもとの識別情報となっているので、例えば、ＳＮＳのユーザがユーザタグ情報を作成した場合には、ユーザの利用者ＩＤがそのままタグ作成者ＩＤとなる。
【００２０】
ＳＮＳ属性情報ＤＢ１０５は、上述したＳＮＳ属性情報を記憶管理するデータベースである。
【００２１】
音楽リスト作成部１０６は、適宜、音楽タグ情報ＤＢ１０３、及びＳＮＳ属性情報ＤＢ１０５を参照して、ユーザごとの音楽リストを作成するようになっている。詳しくは、音楽リスト作成部１０６は、ユーザが情報提供サーバ１上に保持している音楽コンテンツ（あるいは情報提供サーバ１上で利用可能な音楽コンテンツ）に対して音楽属性情報の一覧（以下、音楽リスト情報という）を作成するものであり、一般タグ情報Ｂ及びユーザタグ情報の配信条件（配信対象情報）に合致する場合には、一般タグ情報Ａに、企業の音楽お薦め情報である一般タグ情報Ｂ及びユーザの音楽お薦め情報であるユーザタグ情報をマージして、ユーザごとの音楽リスト情報を作成するようになっている。
【００２２】
従って、音楽リスト情報は、図３に示すように、利用者ＩＤごとの音楽ＩＤと音楽属性情報の組合せ一覧リストであり、音楽属性情報は、一般タグ情報Ａ、一般タグ情報Ｂ、及びユーザタグ情報から構成されている。すなわち、音楽リスト情報は、利用者ＩＤ及び音楽ＩＤごとに、一般タグ情報Ａ、一般タグ情報Ｂ、及びユーザタグ情報を備えるデータ構成である。なお、一般タグ情報Ｂ及びユーザタグ情報は、複数の推薦者（タグ作成者）が存在し得るので、１つの音楽ＩＤに対して、複数の一般タグ情報Ｂや複数のユーザタグ情報を備えることが可能である。
【００２３】
音楽リストＤＢ１０７は、音楽リスト作成部１０６が作成した音楽リストを記憶管理するデータベースである。
【００２４】
ここで、図４を用いて、音楽リストの作成について具体的に説明する。
【００２５】
例えば、前提として、一般タグ情報Ａとして、音楽ＩＤが「Ｍ０００１」、曲名が「ｍｕｓｉｃ１」、アーティストが「アーティスト１」の一般タグ情報Ａｄ１１、音楽ＩＤが「Ｍ０００２」、曲名が「ｍｕｓｉｃ２」、アーティストが「アーティスト２」の一般タグ情報Ａｄ１２が存在し、ＳＮＳ属性情報として、利用者ＩＤが「Ｕ０００２」、利用者名が「ＵＳＥＲ０００２」、所属グループ情報が「ｇｒｏｕｐＡ」であるＳＮＳ属性情報ｄ１５、利用者ＩＤが「Ｕ０００３」、利用者名が「ＵＳＥＲ０００３」、住所情報が「ａｒｅａＸ」、所属グループ情報が「ｇｒｏｕｐＢ」であるＳＮＳ属性情報ｄ１６が存在するとする。そして、このような状況において、一般タグ情報Ｂとして、音楽ＩＤが「Ｍ０００２」、タグ作成者ＩＤが「Ｒ００１０」、タグ作成者「ＲＡＤＩＯ００１０」、配信対象地域が「ａｒｅａＸ」、タグ内容が「おすすめ」である一般タグ情報Ｂｄ１３、及びユーザタグ情報として、音楽ＩＤが「Ｍ０００１」、タグ作成者ＩＤが「Ｕ０００１」、タグ作成者「ＵＳＥＲ０００１」、配信対象グループが「ｇｒｏｕｐＡ、ｇｒｏｕｐＢ」、タグ内容が「おすすめ」であるユーザタグ情報ｄ１４が作成され、音楽タグ情報ＤＢ１０３に反映されるとする。すなわち、「ＲＡＤＩＯ００１０」という外部機関が「ａｒｅａＸ」という地域に住んでいるユーザに対して、「ｍｕｓｉｃ２」という音楽を薦める音楽お薦め情報を配信し、また、「ＵＳＥＲ０００１」というユーザが「ｇｒｏｕｐＡ」及び「ｇｒｏｕｐＢ」というグループに属するユーザに対して、「ｍｕｓｉｃ１」という音楽を薦める音楽お薦め情報を配信する場合を考える。
【００２６】
なお、ユーザタグ情報の配信対象情報は、タグ作成者が自ら指示することにより作成されてもよいし（例えば、配信対象を特定のグループとするほか、特定の個人としてもよい）、タグ作成者が特に指示しない場合には、タグ作成者のＳＮＳ属性情報に基づいて、自動的に配信対象情報が作成されるようにしてもよい（例えば、タグ作成者が所属するグループに対して配信するなど）。
【００２７】
この場合には、ユーザ「ＵＳＥＲ０００２」は、グループ「ｇｒｏｕｐＡ」に属しているので、ユーザ「ＵＳＥＲ０００２」の音楽「ｍｕｓｉｃ１」の音楽属性情報ｄ１７には、一般タグ情報Ａの内容だけでなく、ユーザ「ＵＳＥＲ０００１」が作成したユーザタグ情報ｄ１４の内容が反映される。すなわち、ユーザ「ＵＳＥＲ０００２」が音楽「ｍｕｓｉｃ１」の音楽属性情報を見る場合には、曲名やアーティスト名などの情報に加えて、ユーザ「ＵＳＥＲ０００１」が音楽「ｍｕｓｉｃ１」をおすすめしているという音楽お薦め情報を見ることができる。
【００２８】
また、ユーザ「ＵＳＥＲ０００３」は、地域「ａｒｅａＸ」に住んでいるので、ユーザ「ＵＳＥＲ０００３」の音楽「ｍｕｓｉｃ２」の音楽属性情報ｄ１８には、一般タグ情報Ａの内容だけでなく、外部機関「ＲＡＤＩＯ００１０」が作成した一般タグ情報Ｂｄ１３の内容が反映される。すなわち、ユーザ「ＵＳＥＲ０００３」が音楽「ｍｕｓｉｃ２」の音楽属性情報を見る場合には、曲名やアーティスト名などの情報に加えて、外部機関「ＲＡＤＩＯ００１０」が音楽「ｍｕｓｉｃ２」をおすすめしている音楽お薦め情報を見ることができる。
【００２９】
通信部１０８は、利用者端末２と通信ネットワーク５を介して、情報のやりとりを行うようになっている。
【００３０】
指示判断部１０９は、利用者端末２から通信部１０８を介して受け取った入力指示を判断するようになっている。例えば、利用者端末２から音楽再生の指示を受けたときには、当該再生指示を音楽取得部１１２に出力し、また、利用者端末２から音楽検索の指示を受けたときには、当該検索指示を音楽検索部１１１に出力するようになっている。
【００３１】
画面作成部１１０は、利用者端末２に表示する画面を作成するようになっており、例えば、音楽再生中の場合には、音楽再生を示す画面を作成し、また、音楽属性情報を表示する場合には、指示された音楽の音楽属性情報を一覧表示する画面を作成し、また、音楽検索を行う場合には、検索項目が表示された検索画面を作成するようになっている。
【００３２】
音楽取得部１１２は、再生指示を受けた音楽コンテンツを音楽ＤＢ１１３から取得して、通信部１０８を介して利用者端末２に送信するようになっている。
【００３３】
音楽ＤＢ１１３は、音楽コンテンツを記憶管理しているデータベースであり、本実施の形態においては、ユーザごとに利用可能な音楽コンテンツ（再生可能な音楽コンテンツ）を管理している。
【００３４】
なお、上述した情報提供サーバ１は、少なくとも演算機能及び制御機能を備えた中央演算装置（ＣＰＵ）、プログラムやデータを格納する機能を備えた主記憶装置（メモリ）を有する電子的な装置（コンピュータ）から構成されているものである。また、情報提供サーバ１は、主記憶装置の他、ハードディスクなどの補助記憶装置を具備していてもよい。このうち、一般タグ情報反映部１０１、ユーザタグ情報反映部１０２、ＳＮＳ属性情報反映部１０４、音楽リスト作成部１０６、通信部１０８、指示判断部１０９、画面作成部１１０、音楽検索部１１１、及び音楽取得部１１２は、上記ＣＰＵによる演算制御機能を具体的に示したものであり、音楽タグ情報ＤＢ１０３、ＳＮＳ属性情報ＤＢ１０５、音楽リストＤＢ１０７及び音楽ＤＢ１１３は、上記主記憶装置及び補助記憶装置の機能を具体的に示したものである。さらに、情報提供サーバ１は、物理的に一つからなる装置のほか、複数の装置がネットワーク接続されたシステムの構成であってもよい。また、他の機能を有するサーバと一体化されていてもよい。例えば、ＳＮＳサーバ４と情報提供サーバ１が一体化されたサーバ構成であってもよい。
【００３５】
利用者端末２は、ユーザが音楽コンテンツを再生する端末装置であり、情報提供サーバ１及びＳＮＳサーバ４と通信ネットワーク５を介して相互に通信可能となっている。利用者端末２は、具体的には、ＰＣ（パーソナルコンピュータ）、ＰＤＡ（Personal Digital Assistant）、携帯電話端末、車両に搭載されたカーナビゲーションシステムなどが想定されるが、音楽再生機能及び通信機能を具備する装置であれば特に限定されない。なお、携帯電話端末やカーナビゲーションシステムなど移動可能な利用者端末２の場合には、無線通信（例えば、MobileWiMaxなど）を介して利用者端末２は、情報提供サーバ１と通信可能となっている。
【００３６】
＜音楽情報提供システムの動作＞
次に、図５〜図７を用いて、音楽情報提供システム１０の動作について説明する。ここで、図５は、音楽リスト作成処理の流れを示すシーケンス図であり、図６は、音楽コンテンツ再生処理の流れを示すシーケンス図であり、図７は、音楽コンテンツ検索処理の流れを示すシーケンス図である。
【００３７】
まず、図５を参照して、音楽リスト作成処理について説明する。
【００３８】
ユーザは利用者端末２を用いて、ＳＮＳシステム上において、所定の音楽を薦める音楽お薦め情報をユーザタグ情報として作成し（ステップＳ１０）、作成したユーザタグ情報をＳＮＳサーバ４に登録指示する（ステップＳ２０）。
【００３９】
この結果、ユーザタグ情報はＳＮＳサーバ４に登録されるとともに、ＳＮＳサーバ４に登録されたユーザタグ情報は、随時、情報提供サーバ１に反映されるので、情報提供サーバ１は、ユーザタグ情報反映部１０２を介して、ユーザタグ情報を受信する（ステップＳ４０）。
【００４０】
一方、外部機関３は一般タグ情報（一般タグ情報Ａ、一般タグ情報Ｂ）を随時、情報提供サーバ１に送信するので（ステップＳ３０）、情報提供サーバ１は、一般タグ情報反映部１０１を介して、一般タグ情報を受信する（ステップＳ４０）。
【００４１】
次いで、情報提供サーバ１は、一般タグ情報反映部１０１が受信した一般タグ情報を音楽タグ情報ＤＢ１０３に登録し、また、ユーザタグ情報反映部１０２が受信したユーザタグ情報を音楽タグ情報ＤＢ１０３に登録する（ステップＳ５０）。
【００４２】
次いで、情報提供サーバ１は、適宜、音楽タグ情報１０３及びＳＮＳ属性情報ＤＢ１０５を参照して、ユーザごとの音楽リストを作成し（図３及び図４参照）、音楽リストＤＢ１０７に登録する（ステップＳ６０）。
【００４３】
次に、図６を参照して、音楽コンテンツ再生処理について説明する。
【００４４】
ユーザは利用者端末２を用いて、所定の音楽に対する音楽再生指示を情報提供サーバ１に送信する（ステップＳ１１０）。
【００４５】
情報提供サーバ１は、通信部１０８及び指示判断部１０９を介して、音楽再生指示を受信すると（ステップＳ１２０）、音楽取得部１１２が指示された音楽コンテンツを音楽ＤＢ１１３から取得するとともに、音楽検索部１１１が指示された音楽コンテンツの音楽リスト（音楽属性情報）を取得する（ステップＳ１３０）。
【００４６】
次いで、情報提供サーバ１は、画面作成部１１０が音楽再生を示す画面（以下、再生画面という）を作成する（ステップＳ１４０）。
【００４７】
次いで、情報提供サーバ１は、取得した音楽コンテンツ及び音楽リスト、並びに画再生画面を、通信部１０８を介して、利用者端末２に送信する（ステップＳ１５０）。
【００４８】
利用者端末２は、情報提供サーバ１から音楽コンテンツ及び音楽リスト、並びに再生画面を受信すると（ステップＳ１６０）、利用者端末２に再生画面を表示しつつ、音楽を再生する（ステップＳ１７０）。図８（ａ）に音楽「ｍｕｓｉｃ１」を利用者端末２で再生しているときの再生画面の一例を示す。
【００４９】
なお、音楽再生中に、ユーザが音楽属性情報の表示指示をすると（ステップＳ１８０：ＹＥＳ）、利用者端末２は、受信した音楽リストに基づいて、再生している音楽の音楽属性情報を利用者端末２に表示する（ステップＳ１８０）。図８（ｂ）に音楽「ｍｕｓｉｃ１」の音楽属性情報を表示するときの表示画面の一例を示す。図８（ｂ）に示すように、音楽を再生しているユーザは、当該音楽の一般的な音楽属性情報のほか、他のユーザの音楽お薦め情報を見ることができる。
【００５０】
次に、図７を参照して、音楽コンテンツ検索処理について説明する。
【００５１】
ユーザは利用者端末２を用いて、音楽検索画面を表示して（ステップＳ２１０）、検索条件を入力し、情報提供サーバ１に送信する（ステップＳ２２０）。図９（ａ）に音楽検索画面の一例を示す。なお、図９（ａ）に示す音楽検索画面は、アルバム「アルバム１０」に含まれている曲の中でユーザ「ＵＳＥＲ００１０」がお薦めの音楽を検索する検索条件を示している。
【００５２】
情報提供サーバ１は、通信部１０８及び指示判断部１０９を介して、検索条件を受信すると（ステップＳ２３０）、音楽検索部１１１が音楽リストＤＢ１０７の中から検索条件に合致する音楽の音楽リスト（音楽属性情報）を取得する（ステップＳ２４０）。
【００５３】
次いで、情報提供サーバ１は、取得した音楽リストをもとに検索結果を示す画面（以下、検索結果画面という）を作成する（ステップＳ２５０）。
【００５４】
次いで、情報提供サーバ１は、取得した音楽リスト、及び作成した検索結果画面を、通信部１０８を介して、利用者端末２に送信する（ステップＳ２６０）。
【００５５】
利用者端末２は、情報提供サーバ１から音楽リスト、及び検索結果画面を受信すると（ステップＳ２７０）、利用者端末２に検索結果画面を表示する（ステップＳ２８０）。図９（ｂ）に、図９（ａ）に示した検索条件の結果としての検索結果画面の一例を示す。なお、図９（ｂ）に表示された個々の音楽コンテンツの音楽属性情報を見る場合には、ユーザがいずれかの音楽コンテンツを選択して音楽属性情報の表示指示をすることにより、図８（ｂ）に示した音楽属性情報を見ることも可能である。
【００５６】
なお、図７に示した音楽コンテンツ検索処理では、検索条件に合致した音楽コンテンツの一覧を示しただけであったが、この検索結果をプレイリストとして作成し、作成したプレイリストに沿って音楽を順次再生するようにしてもよい。図１０（ａ）にプレイリスト作成画面、図１０（ｂ）にプレイリスト表示画面の一例を示す。この場合には、アルバム「アルバム１０」に含まれている曲の中でユーザ「ＵＳＥＲ００１０」がお薦めの音楽を検索し、該当した音楽コンテンツを利用者端末２で順次再生するようになっている。
【００５７】
以上、本実施の形態に係る音楽情報提供システム１０によれば、コミュニティ型のＷｅｂサイト（ＳＮＳサーバ１）と連携して、通信ネットワーク５に接続された利用者端末２に音楽の属性情報を提供する情報提供サーバ１を備え、上記Ｗｅｂサイトの会員である第１のユーザが、利用者端末２を介して上記Ｗｅｂサイトに登録した、所定の音楽に対するコミュニケーション情報を記憶するコミュニケーション情報記憶手段と、所定の音楽に対して登録されたコミュニケーション情報の配信先となる第２のユーザを、上記Ｗｅｂサイトの会員の個人属性情報、第１のユーザが所属するグループ情報、及び第１のユーザの選択などに基づいて、上記Ｗｅｂサイトの会員の中から決定する配信先決定手段と、第２のユーザの再生可能な音楽の属性情報一覧である音楽リストを作成するときには、所定の音楽の属性情報に第１のユーザが登録したコミュニケーション情報を追記して音楽リストを作成する音楽リスト作成手段と、予め定めた送信条件が成立した場合には、音楽リスト作成手段により作成された音楽リストの一部または全部を第２のユーザが音楽を再生する利用者端末２に送信する音楽リスト送信手段と、を有するので、利用者端末２においては、ＳＮＳのコミュニケーション機能を利用して、効果的に音楽の再生・検索を行うことができる。すなわち、ユーザは、趣味嗜好の似た他人の意見を参考にして音楽の再生・検索を行うことができる。また、外部機関３がコミュニケーション情報を配信する場合には、ユーザは、自分の気に入った企業のお薦め情報を指針に音楽を再生・検索することができる。
【００５８】
＜その他の実施例＞
なお、本実施の形態の音楽情報提供システム１０では、情報提供サーバ１が音楽コンテンツ及び音楽属性情報を一元的に管理し、ユーザが利用者端末２で音楽コンテンツを再生する場合には、情報提供サーバ１から所望の音楽コンテンツをストリーミングして再生する形態であったが、これ以外の形態であってもよい。例えば、図１１に示すように、各利用者端末７が自装置内に音楽コンテンツを記憶し、自装置内に記憶された音楽コンテンツを再生する形態の音楽情報提供システム２０であってもよい。この場合には、情報提供サーバ６は、作成した音楽リストを送信ファイル作成部６０１を介して利用者端末７に定期的または随時送信する一方、利用者端末７は、音楽リストＤＢ７０１及び音楽ＤＢ７０２を保持し、情報提供サーバ６から送信される最新の音楽リストを音楽リストＤＢ７０２に反映するようになっている。したがって、ユーザが音楽コンテンツを再生・検索する場合には、自装置内の音楽コンテンツを再生・検索し、自装置内に保持する音楽リストの音楽属性情報を表示することになる。なお、情報提供サーバ６が音楽リストを利用者端末７に送信する契機は、ユーザ自身の設定により定めてもよいし、また、ユーザが複数の利用者端末７を備える場合には、ユーザ自身の設定によりいずれの利用者端末７に送信するかを決定してもよい。
【００５９】
また、上述した一般タグ情報Ｂ及びユーザタグ情報は、好適な一例を示したものであり、図２に示した項目に限定されるものではない。例えば、一般タグ情報Ｂ及びユーザタグ情報の配信対象情報に利用者端末２、７の位置情報に関する項目を追加してもよい。すなわち、利用者端末２、７が自らの位置情報を取得できる場合には（例えば、ＧＰＳ機能を備えた利用者端末など）、当該位置情報を配信対象地域とみなして音楽お薦め情報を配信してもよい。また、タグ作成者の利用者端末２、７の位置情報を取得して、当該位置情報を基に配信対象地域を決定してもよい（例えば、タグ作成者の近傍に存在するユーザに音楽お薦め情報を配信するなど）。また、配信時期に関する情報を追加し、当該配信時期にだけ音楽お薦め情報を配信するようにしてもよい。
【００６０】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。
【図面の簡単な説明】
【００６１】
【図１】本発明の実施の形態に係る音楽情報提供システムの概略構成図である。
【図２】本発明の実施の形態に係る音楽情報提供システムで用いられる一般タグ情報、ユーザタグ情報、及びＳＮＳ属性情報のデータ構成図である。
【図３】本発明の実施の形態に係る音楽情報提供システムで用いられる音楽リスト情報のデータ構成図である。
【図４】本発明の実施の形態に係る音楽情報提供システムで用いられる一般タグ情報、ユーザタグ情報、ＳＮＳ属性情報及び音楽リスト情報の具体的なデータ構成図である。
【図５】本発明の実施の形態に係る音楽情報提供システムの音楽リスト作成処理の流れを示すシーケンス図である。
【図６】本発明の実施の形態に係る音楽情報提供システムの音楽コンテンツ再生処理の流れを示すシーケンス図である。
【図７】本発明の実施の形態に係る音楽情報提供システムの音楽コンテンツ検索処理の流れを示すシーケンス図である。
【図８】本発明の実施の形態に係る音楽情報提供システムの利用者端末で音楽を再生しているときの再生画面及び音楽属性情報表示画面の一例である。
【図９】本発明の実施の形態に係る音楽情報提供システムの利用者端末における音楽検索画面及び検索結果画面の一例である。
【図１０】本発明の実施の形態に係る音楽情報提供システムの利用者端末におけるプレイリスト作成画面及びプレイリスト表示画面の一例である。
【図１１】本発明の他の実施の形態に係る音楽情報提供システムの概略構成図である。
【符号の説明】
【００６２】
１，６  情報提供サーバ
２，７  利用者端末
３  外部機関
４  ＳＮＳサーバ
５  通信ネットワーク
１０，２０  音楽情報提供システム
１０１  一般タグ情報反映部
１０２  ユーザタグ情報反映部
１０３  音楽タグ情報ＤＢ
１０４  ＳＮＳ属性情報反映部
１０５  ＳＮＳ属性情報ＤＢ
１０６  音楽リスト作成部
１０７，７０１  音楽リストＤＢ
１０８  通信部
１０９  指示判断部
１１０  画面作成部
１１１  音楽検索部
１１２  音楽取得部
１１３，７０２  音楽ＤＢ
６０１  送信ファイル作成部
【図１】
2010107883.tif 000003
【図２】
2010107883.tif 000004
【図３】
2010107883.tif 000005
【図４】
2010107883.tif 000006
【図５】
2010107883.tif 000007
【図６】
2010107883.tif 000008
【図７】
2010107883.tif 000009
【図８】
2010107883.tif 000010
【図９】
2010107883.tif 000011
【図１０】
2010107883.tif 000012
【図１１】
2010107883.tif 000013